(57)【要約】【課題】コーナー継手によりフレーム単体を矩形枠状に組み立てる扉フレームを改善する。【解決手段】フレーム単体１の端部には、４５度傾斜端面５と、その鋭角尖端相当箇所が長さ方向に対して直角に切除された直角切除部６とが設けられ、コーナー継手８には、４５度傾斜端面５どうしが互いに当接する２本のフレーム単体１それぞれの角筒状部２に挿入される互いに直角向きの２つの差込部９，１０と、両フレーム単体１それぞれの前記直角切除部６によって形成される角柱状凹所に嵌合して両フレーム単体１の出隅部を直角に仕上げる角柱状部１１とが設けられ、両フレーム単体１それぞれとコーナー継手８の各差込部９，１０とがねじ止めされた構成。【選択図】図１
2005155055.tif 000002
【特許請求の範囲】
【請求項１】
断面が扁平な角筒状部を有するフレーム単体をコーナー継手により矩形枠状に組み立てた扉フレームであって、フレーム単体の端部には、４５度傾斜端面と、その鋭角尖端相当箇所が長さ方向に対して直角に切除された直角切除部とが設けられ、コーナー継手には、４５度傾斜端面どうしが互いに当接する２本のフレーム単体それぞれの角筒状部に挿入される互いに直角向きの２つの差込部と、両フレーム単体それぞれの前記直角切除部によって形成される角柱状凹所に嵌合して両フレーム単体の出隅部を直角に仕上げる角柱状部とが設けられ、両フレーム単体それぞれとコーナー継手の各差込部とがねじ止めされている、扉フレーム構造。
【請求項２】
フレーム単体の角筒状部の一側面の外側辺には、内向きに開放する凹溝部が長さ方向に連続して一体形成され、コーナー継手における角柱状部の前記凹溝部に入り込む部分には、両フレーム単体の前記凹溝部内の空間を直角に連続させるように内側に凹入部が形成されている、請求項１に記載の扉フレーム構造。
【請求項３】
コーナー継手の両差込部は、フレーム単体の角筒状部の内側一側面に隣接する扁平板部と、この扁平板部から前記角筒状部の内側他側面に先端が隣接するように一体に突設され且つ各差込部に複数個ずつ配置された柱部と、各柱部に設けられた貫通ねじ孔と、各柱部をつなぐように前記扁平板部から一体に突設されたリブとから構成されている、請求項１又は２に記載の扉フレーム構造。
【請求項４】
前記コーナー継手の両差込部は、前記柱部を両端２箇所に備えたもので、その扁平板部は、各柱部ごとにフレーム単体長さ方向に突出する形状に構成されている、請求項３に記載の扉フレーム構造。
【発明の詳細な説明】
【技術分野】
【０００１】
本発明は、収納家具の開閉扉などに活用できる扉フレーム構造に関するものである。
【背景技術】
【０００２】
扉フレーム構造として、断面が扁平な角筒状部を有するフレーム単体をコーナー継手により矩形枠状に組み立てたものが知られている。従来のこの種の扉フレーム構造は、例えば特許文献１に記載されるように、各フレーム単体の端を４５度に切断し、この各フレーム単体の４５度傾斜端面どうしを互いに当接させるように、互いに直角に配置されたフレーム単体の角筒状部内にコーナー継手の互いに直角２方向に延出する差込部を差し込み、各フレーム単体の端部とコーナー継手の差込部とをねじ止めする構造であった。
【特許文献１】特開平１１−１０７６４７号公報
【発明の開示】
【発明が解決しようとする課題】
【０００３】
特許文献１に記載されたような従来の扉フレーム構造では、コーナー継手の全体がフレーム単体の内部に収納されて、外からは全く見えない状態となり、デザイン的に優れたものであるように考えられるが、実際には、コーナー継手の差込部と各フレーム単体の角筒状部との間の僅かな遊び代によって、互いに当接する２本のフレーム単体の４５度傾斜端面の鋭角尖端部が４５度傾斜端面に沿った方向にずれて扉フレームの角に段差が生じ易いという致命的な問題点があった。このような問題点を解決するために、フレーム単体の端を直角に切断し、コーナー継手には、互いに直角に配置される２本のフレーム単体の直角端面間に位置する矩形のコーナー構成部分を形成し、このコーナー構成部分から直角２方向に２つの差込部を延出した構成も考えられたが、フレーム単体の幅と同一の幅及び高さの大きな、そしてフレーム単体とは一般的に材質が異なるコーナー継手のコーナー構成部分が扉フレームの互いに直角に配置された２本のフレーム単体間をつなぐように露出することになり、フレーム単体の４５度傾斜端面どうしを互いに当接させた扉フレームの高級感を失することになる。
【課題を解決するための手段】
【０００４】
本発明は上記のような従来の問題点を解消し得る扉フレーム構造を提供することを目的とするものであって、その手段を後述する実施形態の参照符号を付して示すと、断面が扁平な角筒状部２を有するフレーム単体１をコーナー継手８により矩形枠状に組み立てた扉フレームであって、フレーム単体の端部には、４５度傾斜端面５と、その鋭角尖端相当箇所が長さ方向に対して直角に切除された直角切除部６とが設けられ、コーナー継手８には、４５度傾斜端面５どうしが互いに当接する２本のフレーム単体１それぞれの角筒状部２に挿入される互いに直角向きの２つの差込部９，１０と、両フレーム単体１それぞれの前記直角切除部６によって形成される角柱状凹所に嵌合して両フレーム単体１の出隅部を直角に仕上げる角柱状部１１とが設けられ、両フレーム単体１それぞれとコーナー継手８の各差込部９，１０とがねじ止めされた構成となっている。
【０００５】
上記構成の本発明を実施するについて、請求項２に記載のように、フレーム単体１の角筒状部２の一側面の外側辺には、ガラス板やプラスチック板などの周辺を支持するのに利用できる、内向きに開放した凹溝部３を長さ方向に連続して一体形成し、コーナー継手８における角柱状部１１の前記凹溝部３に入り込む部分には、両フレーム単体１の前記凹溝部３内の空間を直角に連続させるように内側に凹入部１１ａを形成することができる。
【０００６】
又、請求項３に記載のように、コーナー継手８の両差込部９，１０は、フレーム単体１の角筒状部２の内側一側面に隣接する扁平板部１２と、この扁平板部１２から前記角筒状部２の内側他側面に先端が隣接するように一体に突設され且つ各差込部９，１０に複数個ずつ配置された柱部１３と、各柱部１３に設けられた貫通ねじ孔１４と、各柱部１３をつなぐように前記扁平板部１２から一体に突設されたリブ１５とから構成することができる。この場合、請求項４に記載のように、前記コーナー継手８の両差込部９，１０には、前記柱部１３を両端２箇所に設け、その扁平板部１２は、各柱部１３ごとにフレーム単体１の長さ方向に突出する形状に構成することができる。
【発明の効果】
【０００７】
上記構成の本発明に係る扉フレーム構造によれば、互いに直角に配置される２本のフレーム単体は、基本的に各フレーム単体の４５度傾斜端面どうしが当接する状態でコーナー継手により接続されるものであり、当該２本のフレーム単体間の直角出隅角のみがコーナー継手側の角柱状部によって形成され、各フレーム単体の４５度傾斜端面の鋭角尖端が扉フレームの直角出隅角を形成するものではないから、従来のようにフレーム単体の４５度傾斜端面の鋭角尖端部が４５度傾斜端面に沿った方向にずれて扉フレームの角に段差が生じるというような問題点が解消する。しかも、扉フレームの角に露出するのは、コーナー継手側の小さな角柱状部のみであるから、仮に当該角柱状部の材質（質感）がフレーム単体の材質とは明らかに異なるような状況であったとしても、フレーム単体の４５度傾斜端面どうしを互いに当接させた扉フレームの高級感を大きく失することにはならない。
【０００８】
尚、請求項２に記載の構成によれば、ガラス板やプラスチック板などをフレーム内側に嵌めた扉を構成することができるのであるが、この場合に、当該ガラス板やプラスチック板などを角をコーナー継手側の角柱状部を回避できるようにカットする必要がなくなる。
【０００９】
又、請求項３や４に記載の構成によれば、コーナー継手の軽量化、コストダウンを図ることができる。
【発明を実施するための最良の形態】
【００１０】
以下に本発明の具体的実施例を添付図に基づいて説明すると、図１及び図２において、１は互いに直角に接続される２本のフレーム単体であって、扁平な角筒状部２の長辺側の両側板部２ａ，２ｂの内、一方の側板部２ｂの外側辺に、内向きに開放した凹溝部３を形成する断面Ｌ形の立ち上がり部４が長さ方向に連続して一体に連設されたものである。このフレーム単体１の端には、凹溝部３が形成された外側辺が内側辺より長くなる方向に４５度に切断して構成した４５度傾斜端面５と、当該４５度傾斜端面５の鋭角尖端相当箇所をフレーム長さ方向に対して直角に切除して構成した直角切除部６とが設けられている。この直角切除部６の長さ（幅）は、凹溝部３の幅の半分程度の短いものである。更に、フレーム単体１の凹溝部３が形成されていない側の側板部２ａの端には、フレーム幅方向の両端近傍位置で且つ４５度傾斜端面５からほぼ同一距離だけ離れた位置において、２つの座ぐり孔７が設けられている。
【００１１】
８は互いに直角に接続される２本のフレーム単体１どうしを接続するコーナー継手であって、互いに直角２方向に延出する２つの差込部９，１０を備えている。これら差込部９，１０は、フレーム単体１の角筒状部２内に大きなガタつきなく挿入できるサイズのもので、両差込部９，１０を２本のフレーム単体１それぞれの角筒状部２内に挿入することにより、当該２本のフレーム単体１どうしをそれぞれの４５度傾斜端面５が互いに当接する直角向きに接続することができる。このようにコーナー継手８を使用して２本のフレーム単体１どうしを直角向きに接続したとき、両フレーム単体１の端の直角切除部６によって角柱状凹所が形成されることになるが、丁度この角柱状凹所内に嵌合して両フレーム単体１間の出隅部を直角に仕上げる角柱状部１１がコーナー継手８の先端に一体に形成されている。
【００１２】
コーナー継手８の２つの差込部９，１０は、フレーム単体１の角筒状部２における側板部２ａの内面に隣接する扁平板部１２と、この扁平板部１２から前記角筒状部２の側板部２ｂの内面に先端が隣接するように一体に突設された各２つの柱部１３と、各柱部１３に設けられた貫通ねじ孔１４と、各柱部１３をつなぐように前記扁平板部１２から一体に突設されたリブ１５とから構成されている。又、前記扁平板部１２は、各柱部１３ごとにフレーム単体長さ方向に突出する形状、即ち、長さ方向両端に斜め後方４５度の向きに左右対称形に突出部１２ａを有し、これら各突出部１２ａに前記柱部１３が一体に突設された構造となっている。
【００１３】
コーナー継手８における各柱部１３の位置（貫通ねじ孔１４の位置）は、先に説明したようにコーナー継手８を使用して２本のフレーム単体１どうしを直角向きに接続したとき、各フレーム単体１の座ぐり孔７とコーナー継手８側の各貫通ねじ孔１４とが同心状に位置するように設定されている。従って、座ぐり孔７側からコーナー継手８の貫通ねじ孔１４に対して皿ビス１６を螺合締結して、両フレーム単体１とコーナー継手８とをねじ止めすることにより、２本のフレーム単体１を互いに直角向きに接続することができる。このようにして４本のフレーム単体１と４つのコーナー継手８とを使用して、図３に示す矩形枠状の扉フレーム１７を構成することができるが、このとき、当該扉フレーム１７の内側にガラス板やプラスチック板などのプレート１８を張設することができる。
【００１４】
即ち、図４に示すように各フレーム単体１の凹溝部３内に断面コ形のパッキン材１９を予め嵌合させておくか又は、プレート１８の周辺に断面コ形のパッキン材１９を予め嵌合させておき、３本のフレーム単体１をコ形に接続した状態において、互いに平行な２本のフレーム単体１の凹溝部３内にプレート１８の両側辺をスライドさせて嵌合させ、最後に残りのフレーム単体１をコーナー継手８により接続して扉フレーム１７を完成させれば良い。このとき、図２に示されるように、コーナー継手８の角柱状部１１が、直角に転向して連続する２本のフレーム単体１の凹溝部３内に入り込む位置にあるので、図５に示すように当該角柱状部１１の凹溝部３内に入り込む部分には、両フレーム単体１の凹溝部３内の空間を直角に連続させるように内側に凹入部１１ａが形成されている。従って、コーナー継手８の角柱状部１１を回避するようにプレート１８の角をカットする必要がない。
【００１５】
以上にようにして構成された扉フレーム１７は、互いに直角に接続する２本のフレーム単体１の全ての表面が、コーナー継手８の角柱状部１１の表面を介して一平面状又は直角状に段差なく連続することになり、特にコーナー部の出隅部角は、コーナー継手８の角柱状部１１の出隅部によって形成されるので、当該角柱状部１１の出隅部に適度の面取りを施しておくことにより、手触りも良くすることができる。
【図面の簡単な説明】
【００１６】
【図１】Ａ図は扉フレームの１つのコーナー部を分解状態で示す正面図、Ｂ図はＡ図のＡ−Ａ線断面図、Ｃ図は同コーナー部の組み立て完了時の状態を示す正面図である。
【図２】図１Ｃの背面図である。
【図３】完成した扉フレームの正面図である。
【図４】図３の拡大横断平面図である。
【図５】Ａ図はコーナー継手の背面図、Ｂ図はＡ図のＢ−Ｂ線断面図である。
【符号の説明】
【００１７】
１    フレーム単体
２    扁平な角筒状部
３    凹溝部
５    ４５度傾斜端面
６    直角切除部
７    座ぐり孔
８    コーナー継手
９，１０    差込部
１１    角柱状部
１２    扁平板部
１３    柱部
１４    貫通ねじ孔
１５    リブ
１６    皿ビス
１７    扉フレーム
１８    ガラス板やプラスチック板などのプレート
１９    パッキン材
【図１】
2005155055.tif 000003
【図２】
2005155055.tif 000004
【図３】
2005155055.tif 000005
【図４】
2005155055.tif 000006
【図５】
2005155055.tif 000007